(57)【特許請求の範囲】
【請求項１】
施設の入口或いは出口に設けられ、入場者を検出する入店センサ及び退場者を検出する退店センサと、
時刻を特定する時計回路と、
前記入店センサから検出信号を入力する毎に入場時刻を順に記憶し、その入力回数を入場者数として記憶すると共に、前記退店センサから検出信号を入力する毎に退場時刻を順に記憶し、その入力回数を退場者数として記憶する記憶回路と、
前記記憶回路が記憶している前記退場時刻と前記入場時刻から退場者毎の退場時刻と入場者毎の入場時刻を特定し、現時点までの施設からの退場者の退場順位と同一の入場順位の入場者の入場時刻を当該退場者の退場時刻から減算することにより退場者毎の滞留時間を演算すると共にそれらの滞留時間を累積することにより退場者全体の累積滞留時間を求める第１の演算手段と、
現時点までの退場者の最終退場順位に続く退場順位と同一の入場順位の入場者の入場時刻を現在時刻から減算することにより滞留者毎の滞留時間を演算すると共にそれらの滞留時間を累積することにより滞留者全体の累積滞留時間を求める第２の演算手段と、
前記第１の演算手段による累積滞留時間と前記第２の演算手段による累積滞留時間とを加算することにより入場者全体の累積滞留時間を求める第３の演算手段と、
この第３の演算手段による累積滞留時間を前記入場者数で除算することにより入場者の平均滞留時間を求める第４の演算手段とを備える演算回路とが設けられた入場者の平均滞留時間計測装置であって、
入場者数減算キー及び退場者数減算キーを備えた送信機からの送信信号を前記入店センサ或いは退店センサが受信したときに、前記入店センサ若しくは前記退店センサにおける入場者数若しくは退場者数の検出を無効化することを特徴とする入場者の平均滞留時間計測装置。
【発明の詳細な説明】
【０００１】
【産業上の利用分野】
本発明は、例えばパチンコホールに入場した遊技客の平均滞留時間を求めるのに好適する入場者の平均滞留時間計測装置に関する。
【０００２】
【従来の技術】
例えばパチンコホールにおいては、遊技客の滞留時間が長い程売上増加につながることから、遊技客一人当りの平均滞留時間を長時間化することが経営上得策であると考えられる。
【０００３】
このような遊技客の平均滞留時間の測定する方法としては、特公昭６１−７６７５号公報のものがある。このものは、入場者及び退場者を検出する検知手段を設け、入場者の入場時刻及び退場者の退場時刻を順に記憶すると共に、退場者の退場時間から同一順位の入場者の入場時刻を引算して時間差を求め、その時間差の和を退場者数で除算するもので、斯様な演算により入場者の平均滞留時間を求めることができる。このような測定方法によれば、入場者毎の入場時刻及び退場時刻を個別に記憶する必要がないので、簡単な構成で入場者の平均滞留時間を求めることが可能となる。
【０００４】
【発明が解決しようとする課題】
しかしながら、上記従来例のものでは、退場者の平均滞留時間を求めることができるものの、現在入場している滞留者の滞留時間は無視されている。このため、斯様に求めた平均滞留時間に基づいて入場者の退場時刻の傾向を予測する場合には、予測した退場時刻の傾向が実際の退場時刻から大きくずれてしまうという欠点がある。
【０００５】
本発明は上記事情に鑑みてなされたもので、その目的は、入場者の入場時刻及び退場者の退場時刻に基づいて入場者の平均滞留時間を演算により求める際に、平均滞留時間の演算精度を高めることができる入場者の平均滞留時間計測装置を提供することにある。
【０００６】
【課題を解決するための手段】
本発明は、施設の入口或いは出口に設けられ、入場者を検出する入店センサ及び退場者を検出する退店センサと、時刻を特定する時計回路と、前記入店センサから検出信号を入力する毎に入場時刻を順に記憶し、その入力回数を入場者数として記憶すると共に、前記退店センサから検出信号を入力する毎に退場時刻を順に記憶し、その入力回数を退場者数として記憶する記憶回路と、前記記憶回路が記憶している前記退場時刻と前記入場時刻から退場者毎の退場時刻と入場者毎の入場時刻を特定し、現時点までの施設からの退場者の退場順位と同一の入場順位の入場者の入場時刻を当該退場者の退場時刻から減算することにより退場者毎の滞留時間を演算すると共にそれらの滞留時間を累積することにより退場者全体の累積滞留時間を求める第１の演算手段と、現時点までの退場者の最終退場順位に続く退場順位と同一の入場順位の入場者の入場時刻を現在時刻から減算することにより滞留者毎の滞留時間を演算すると共にそれらの滞留時間を累積することにより滞留者全体の累積滞留時間を求める第２の演算手段と、前記第１の演算手段による累積滞留時間と前記第２の演算手段による累積滞留時間とを加算することにより入場者全体の累積滞留時間を求める第３の演算手段と、この第３の演算手段による累積滞留時間を前記入場者数で除算することにより入場者の平均滞留時間を求める第４の演算手段とを備える演算回路とが設けられた入場者の平均滞留時間計測装置であって、入場者数減算キー及び退場者数減算キーを備えた送信機からの送信信号を前記入店センサ或いは退店センサが受信したときに、前記入店センサ若しくは前記退店センサにおける入場者数若しくは退場者数の検出を無効化するのである。
【０００７】
【作用】
本発明の入場者の平均滞留時間計測装置の場合、演算回路は、まず、第１の演算手段により退場者全体の入場時刻から退場時刻までの累積滞留時間を求める。続いて、第２の演算手段により滞留者全体の入場時刻から現在時刻までの累積滞留時間を求める。続いて、第３の演算手段により入場者全体の入場してから退場するまで若しくは現時点までの累積滞留時間を求める。最後に、第４の演算手段により入場者の平均滞留時間を求める。
【０００８】
また、送信機の入場者数減算キー及び退場者数減算キーを適宜操作することにより、従業員の出入り回数が無意味に計数されてしまうことを回避することができる。
【０００９】
【実施例】
以下、本発明をパチンコホールに適用した一実施例を図面を参照して説明する。図２は各機器の接続状態を示している。この図２において、パチンコホールには専用の入口及び出口が設置されており、それらの入口及び出口に対応して入店センサ１及び退店センサ２が設置されている。これらの入店センサ１及び退店センサ２は光センサ、超音波センサ等から成り、入場者及び退場者を検知して検知信号を出力する。
【００１０】
計測端末装置３は入店センサ１及び退店センサ２に給電すると共に、各センサ１，２からの検出信号の入力に応じて入場者数及び退場者数を計数する。また、計測端末装置３は、集中管理用コンピュータ４からの指令に応じて所定の演算を実行すると共に、その演算結果を集中管理用コンピュータ４に送信する。
【００１１】
集中管理用コンピュータ４は図示しないパチンコゲーム機の稼動状況を管理するためのものであり、操作部５による操作に応じて各パチンコゲーム機の稼動状況をプリンタ６若しくは端末装置７に出力すると共に各パチンコゲーム機の台データを計数端末装置３に出力する。また、集中管理用コンピュータ４は、計測端末装置３からデータを入力したときは、そのデータを加工してプリンタ６若しくは端末装置７に出力するように構成されている。
【００１２】
図１は上記計測端末装置３の構成を示している。この図１において、主演算回路８は記憶回路９及び時計回路１０を有しており、時計回路１０から計測開始時刻（営業開始時刻）Ｔｆ及び現在時刻Ｔｍを取得する。
【００１３】
主演算回路８は、累積入場経過時間ΣＭｉｎ、累積退場経過時間ΣＭｏｍ、入場者数Ｃｉ、退場者数Ｃｏに加えて集中管理用コンピュータ４からの台データに基づいて以下の演算を行う。
【００１４】
（１）滞留者数＝入場者数Ｃｉ−退場者数Ｃｏ
（２）平均滞留時間＝累積滞留時間／入場者数Ｃｉ
（３）遊技者率＝パチンコゲーム機の稼動数／滞留者数（Ｃｉ−Ｃｏ）
（４）遊技時間率＝（累積実稼動時間／累積滞留時間）・１００（％）
但し、累積実稼動時間は、パチンコゲーム機の稼動中の時間を累積したものである。
【００１５】
（５）入店者一人当りの売上＝全店売上金額／入場者数Ｃｉ
（６）入店者一人当りの粗利益＝全店粗利益金額／入場者数Ｃｉ
（７）入店者一人当りの時間売上＝入場者一人当りの時間売上／平均滞留時間
そして、計測端末装置３は、集中管理用コンピュータ４からの指令に応じて上記演算結果を集中管理用コンピュータ４に出力する。
【００１６】
一方、送信機１５には入場者数減算キー及び退場者数減算キーが設けられており、それらのキーに対する操作に応じて送信機から操作キー対応した送信信号が入店センサ１若しくは退店センサ２に出力されるようになっている。この場合、入店センサ１及び退店センサ２は、送信機１５から送信信号を受信したときは、検出信号を計測端末装置３に出力しないようになっている。
【００１７】
次に上記構成の作用について説明する。主演算回路８は、入店センサ１から検出信号が入力する毎に入場時刻を順に記憶すると共に、退店センサ２から検出信号を入力する毎に退場時刻を順に記憶する。そして、現時点までの退場者の退場順位と同一順位と同一の入場順位の入場順位の入場時刻を退場時刻から減算することにより退場者毎の滞留時間を演算すると共に、それらの滞留時間を累積することにより退場者全体の累積滞留時間を求める。この場合の演算式は、Σ（Ｔｏｍ−Ｔｉｍ）となる。また、主演算回路８は、現時点までの退場者の最終退場順位に続く退場順位と同一の入場順位の入場者の入場時刻を現在時刻から減算することにより滞留者毎の滞留時間を演算すると共に、それらの滞留時間を累積することにより滞留者全体の累積滞留時間を求める。この場合の演算式は、Σ（Ｔｍ−Ｔｉｎ）となる。そして、主演算回路８は、以下の演算式に従って入場者の平均滞留時間を求める。
【００１８】
平均滞留時間＝累積滞留時間／入場者数Ｃｉ
ここで、累積滞留時間とは退場者の滞留時間の累積と現時点における滞留者の滞留時間（図３参照）の累積とを加算して求めるもので、この場合の演算式は、累積滞留時間＝Σ（Ｔｏｍ−Ｔｉｍ）＋Σ（Ｔｍ−Ｔｉｎ）となる。
【００１９】
そして、集中管理用コンピュータ４から送信指令を受けたときは、入場者数、退場者数及び平均滞留時間を集中管理用コンピュータ４に順次出力する。これにより、集中管理用コンピュータ４は、計測端末装置３から与えられるデータに基づいて図４に示すグラフを作成してプリンタ６若しくは端末装置７に出力する。この場合、入場者数と退場者数との差が滞留者数であるので、図４に示すグラフから滞留者数の変動を一目で容易に把握することができると共に平均滞留時間の推移も容易に把握することができる。
【００２１】
上記構成のものによれば、入場者の平均滞留時間を現時点までの退場者の滞留時間に加えて現時点における滞留者の滞留時間も考慮して求めると共に、送信機３からの送信に基づいて累積滞留時間を補正するようにしたので、現時点における滞留者の滞留時間を考慮しない従来例のものに比べて、遊技客の平均滞留時間を実際の平均滞留時間によく合致させることができる。この結果、遊技客の平均滞留時間の演算精度を向上することができるので、現時点以後における遊技客の退店時刻の傾向予測が正確となる。従って、遊技客が退店する時間分布に基づいて現時点以降においてパチンコゲーム機の稼動率が低下する事態が予想される場合には、例えば打止台の開放或いは特賞回数の制限廃止等の処置で対応することにより、パチンコゲーム機の稼動率を高めながら、従業員の出入り、或いは入店センサ１及び退店センサ２の検出領域での施錠或いは窓拭きを行う際に、従業員が入場者数減算キー及び退場者数減算キーを適宜操作することにより、従業員の出入り回数が無意味に計数されてしまうことを回避することができる。
【００２２】
尚、累積滞留時間として滞留者の累積滞留時間Σ（Ｔｍ−Ｔｉｎ）を加算しない場合は、従来例で説明した場合と同様に、退場者のみの平均滞留時間を求めることができる。
【００２３】
また、上記各実施例では、パチンコホールに適用した例を示したが、遊園地、或いは百貨店等の施設に適用するようにしてもよい。
【００２４】
【発明の効果】
以上の説明から明らかなように、本発明の入場者の平均滞留時間計測装置によれば、入場者の入場時刻及び退場者の退場時刻に基づいて入場者の平均滞留時間を演算する際に、退場者の滞留時間に加えて現時点の滞留者の滞留時間も考慮すると共に、送信機に対する操作により従業員の出入りも考慮して演算するようにしたので、平均滞留時間の演算精度を高めることができるという優れた効果を奏する。
【図面の簡単な説明】
【図１】  本発明の一実施例における全体の電気的構成を示す概略図
【図２】  全体の接続関係を示す概略図
【図３】  滞留時間を求める演算を説明するための図
【図４】  入場者数及び退場者数の変化を示す図
【符号の説明】
１は入店センサ、２は退店センサ、３は計測端末装置、４は集中管理用コンピュータ、１５は送信機である。
【図１】
0003930062.tif 000002
【図２】
0003930062.tif 000003
【図３】
0003930062.tif 000004
【図４】
0003930062.tif 000005